(57)【要約】【課題】本発明は複数のボビンに糸掛けを実施する際に安定して糸掛けガイド部にて切断し端糸を可能な限り短尺化し、満巻パッケージの製品収率を向上させることができる多糸条巻取機の糸掛け方法を提供することを目的とする。【解決手段】１本のスピンドルに糸条捕捉溝を具備した複数のボビンを挿着せしめた多糸条巻取機において、各ボビン毎にボビン表面から最短距離１５〜３５（ｍｍ）に糸掛けガイドを設け、該糸掛けガイドに走行糸条をガイド巻付角２４０°〜３００°で嵌入させることを特徴とする多糸条巻取機の糸掛け方法。【選択図】図２
2004238107.tif 000002
【特許請求の範囲】
【請求項１】
１本のスピンドルに糸条捕捉溝を具備した複数のボビンを挿着せしめた多糸条巻取機において、各ボビン毎にボビン表面から最短距離１５〜３５ｍｍに糸掛けガイドを設け、該糸掛けガイドに走行糸条をガイド巻付角２４０°〜３００°で嵌入させることを特徴とする多糸条巻取機の糸掛け方法。
【請求項２】
前記糸掛けガイドに走行糸条をガイド巻付角２４０°〜３００°で嵌入させる手段として、糸条を集束吸引する吸引装置を用いることを特徴とする請求項１に記載の多糸条巻取機の糸掛け方法。
【発明の詳細な説明】
【０００１】
【発明の属する技術分野】
本発明は連続的に供給される糸条を巻き取る多糸条巻取機の糸掛け方法に関するものであり、さらに詳しくは吸引体を使用してボビンに糸掛けする際に糸条切断を容易に行うことができる糸掛け方法に関するものである。
【０００２】
【従来の技術】
近年の溶融紡糸工程にて使用される糸条巻取機として、１本のスピンドルに複数のボビンを挿着し、これらボビンに複数の糸条を巻き取り、該ボビンが満巻になる毎に再度空ボビンをスピンドルに挿着せしめ、手動的に糸切替え（糸掛け）を実施する必要のあるマニュアル型式の多糸条巻取機が使用されている。
【０００３】
このような上記マニュアル型式の多糸条巻取機に対する糸掛け方法としては、複数のボビンに各々対応する糸掛けガイドを同時に操作して複数のボビンに同時糸掛けをするようにしている（例えば、特許文献１参照）。
【０００４】
一般にボビンに糸条を糸掛け後、該糸条を切断するに際しては、ボビンの回転に起因する力と該糸条を介した糸掛けガイド部に巻き付く（接する）擦過力と吸引装置の吸引力等の相対作用により切断されるものである。
【０００５】
しかしながら、上記の糸掛け方法では、吸引装置の設置位置により詳しくは糸掛けガイドと糸条の巻付角によって、相対作用力が各糸条で異なり、結果的に各糸条の切断ポイントが不安定となり、切断された長い糸条が捕捉溝部からの端糸としてスピンドルの回転により振り回され、捕捉溝部から巻き取り途中で次第に外れ、満巻後トランスファーテールが無くなったり、あるいは上記端糸がボビンのテール部分に重なり合って巻き付き、満巻後パッケージの見かけ上のテールが複数に見えるため正常なテールと区別がつかなくなって、ユーザーにてパッケージ使用の際（仮撚り、織り等）のテール糸繋ぎ作業を効率的に行うことができないことがあった。
【０００６】
このような問題を解決する対策として、ボビンに糸掛けを実施した後に生ずる上記端糸を、ボビンの糸条捕捉溝近傍にて絡ませる手段を講じ、該端糸のボビンへの巻き付きを防止する方法が提案されている（例えば、特許文献２参照）。
【０００７】
しかしながら、上記の方法では、例えば端糸を絡ませるテール不良防止手段としてアームを採用した場合、常に糸掛けにおいて端糸が絡みつくポイントはほぼ同位置となるため、端糸をアームに確実に絡みつかせるためには糸掛けを実施する度に絡糸処理を実施しなければならない。また端糸がアームに軽度に絡みついた時には、ボビンのパッケージ形成の途中で、徐々にアームに絡みついた絡糸が剥がれてパッケージ内に飛び込み、ユーザでのパッケージ使用の際に糸の解舒性悪化の原因となる。
【０００８】
図４、図５は、従来の糸掛け方法を実施する多糸条巻取機の糸掛け概略を示すものであり、図４は正面図、図５は側面図である。
【０００９】
図４、図５において、Ｙ（ＹＡ〜ＹＤ）は糸条、１は巻取機本体である。ヘッダー部２には糸条を綾振るためのトラバース装置３とコンタクトローラ１１が内蔵されている。また、スピンドル５に挿着されたボビン４は、コンタクトローラ１１に押圧されながら糸条Ｙを巻き取りパッケージを構成するが、糸条Ｙを巻取機１に糸掛けする際には、先ず吸引装置７にて糸条Ｙを吸引しストッパーピン９および案内ガイド１０を介して各々の糸条Ｙを糸掛けガイド６に通し、（糸掛け作業者の感性に基づく）任意の位置に吸引装置７を設置して、糸掛けガイド６と一体となった旋回デバイス８を矢印通りスピンドル側に旋回させることで糸掛けガイド６も同時に旋回させてボビン４の糸条捕捉溝４’に図４の２点鎖線で示すように糸条Ｙを嵌入して把持させ、ボビン４に巻き取らせる。
【００１０】
また、ボビン４の表面から糸掛けガイド６の最短距離に関しては一般に規定されてなく、本巻取機での上記距離は５０ｍｍであり、そして糸条Ｙと糸掛けガイド６の巻付角に関しても、糸掛け作業者自身の感性にて任意に吸引装置７を位置するため不特定であるため、上述したとおり、満巻後トランスファーテールがなくなっていたり、あるいはボビンのテール部分に重なり合って巻き付き、正常なテールと区別がつかなくなって満巻パッケージの製品収率が低くなる問題があった。
【００１１】
【特許文献１】
特開昭５９−６４４７５号公報
【００１２】
【特許文献２】
特開２００２−２６５１４９号公報
【００１３】
【発明が解決しようとする課題】
本発明の目的は、複数のボビンに糸掛けを実施する際に安定して糸掛けガイド部にて切断し端糸を可能な限り短尺化し、満巻パッケージの製品収率を向上させることができる多糸条巻取機の糸掛け方法を提供することにある。
【００１４】
【課題を解決するための手段】
上記目的を達成するために本発明は、１本のスピンドルに糸条捕捉溝を具備した複数のボビンを挿着せしめた多糸条巻取機において、各ボビン毎にボビン表面から最短距離１５〜３５ｍｍに糸掛けガイドを設け、該糸掛けガイドに走行糸条をガイド巻付角２４０°〜３００°で嵌入させることを特徴とする多糸条巻取機の糸掛け方法である。
【００１５】
また、前記糸掛け方法において、前記糸掛けガイドに走行糸条をガイド巻付角２４０°〜３００°で嵌入させる手段として、糸条を集束吸引する吸引装置を用いることが好ましい。
【００１６】
【発明の実施の形態】
以下、図面に示す実施態様に基づいて本発明をさらに詳細に説明する。
【００１７】
図１、図２は本発明の一実施形態を示すものであり、各々正面図および側面図を示している。
【００１８】
本発明の糸掛け方法においては、前記した図４、図５で説明した、従来の多糸条巻取機の糸掛け方法を採用するものであるが、図１、図２に示すように、旋回デバイス８の旋回により各ボビン４Ａ〜４Ｄの表面に近づく糸掛けガイド６Ａ〜６Ｄと該ボビン表面の最短距離Ｌを１５〜３５ｍｍ、好ましくは２５〜３５ｍｍとなるよう糸掛けガイド６を設け、各糸掛けガイドと吸引装置７にて吸引される糸条をガイド巻付角θが２４０°〜３００°、好ましくは２６０°〜２８０°となるように吸引装置７を位置づける。ここで説明するガイドの巻付角θとは、糸掛けガイドを基準として走行（吸引）する糸条にて形成される時計回りの角度である。また糸掛けガイドに関しては、該ガイドの表面粗度がＪＩＳＢ０６０１−１９８２規格の中心線平均粗さ１．０〜１．５ａの範囲の梨地クロムメッキ処理されたものが好ましく使用できる。その結果、最短距離Ｌを１５〜３５ｍｍ、ガイド巻付角を２４０°〜３００°の範囲とすることにより、満巻後トランスファーテールが無くなっていたりすることなく、またボビンのテール部分に重なり合って巻き付くことなく満巻パッケージの製品収率の向上につなげることが可能である。
【００１９】
【実施例】
以下、さらに本発明を実施例を用いてより具体的に説明する。
【００２０】
吸引装置は吸引圧力が５．６〜５．８ｋｇｆ／ｃｍ２であるサクションガンを用い、巻取機は外径９３ｍｍ、長さ１５０ｍｍの紙管を４本挿着可能な多糸条巻取機を対象とし、巻き取り方法としては、特開２００１−１３９２２９号公報に記載されているようにテールバンチを形成することなくトラバース中心方向に糸条が移動し、トラバースガイドと係合した時点から正規の巻き取りを開始する方法で実施した。また、対象糸条は１４０デシテックス、単糸数が４８フィラメントの半延伸糸であり、加えて巻取速度は３０１０ｍ／分とした。
【００２１】
一例として、図３に示すように、糸条ＹＡおよび紙管４Ａを対象とし、サクションガンの位置を７１〜７５と変化させて、詳しくは糸条と糸掛けガイドの巻付角θをθ１〜θ５と変化させたときの糸張力Ｔ（Ｔ１１〜Ｔ１５、Ｔ２１〜Ｔ２５）の測定結果を表１に示すとともに、糸掛け性ならびにテール採取率の結果を表２に示す。なお、糸張力Ｔ１１〜Ｔ１５は糸掛けガイド６に至るまでの糸張力であり、糸張力Ｔ２１〜Ｔ２５はガイド６から吸引装置７に至る間の糸張力である。また、糸張力Ｔ１１は糸張力Ｔ２１、糸張力Ｔ１２は糸張力Ｔ２２、・・・糸張力Ｔ１５は糸張力Ｔ２５に対応する。
【００２２】
表２のテール採取率に関しては、肉眼にて満巻パッケージのテール部に対しテールの有無および端糸のテール部への巻き込みの有無を観察した結果であり、満巻パッケージ数に対してテール量がユーザー要求量に見合いかつ端糸がテール部に巻き込まれていない正常なパッケージの採取率を示した数値である。また糸掛け性に関しては、コンタクトローラに押圧されながら回転する空ボビンに対し、ワンアクションの糸掛け操作にて正常に糸条を巻初めることができた時の糸掛け成功率を示した数値である。
【００２３】
このように、表１の結果より、巻付角θが大なる程、該ガイド部の擦過によりガイド上流側の張力Ｔ１が小となる傾向にあるが、本発明の巻付角の範囲では表２に示すように糸掛け性悪化の影響がなく、テール採取率が大きく向上した。
【００２４】
また、糸掛けガイドとボビン表面の最短距離Ｌ（図１参照）に関しては、表３に示すように、距離Ｌを５０ｍｍ、３５ｍｍ、２５ｍｍ、１５ｍｍ、５ｍｍと変化させて表２と同様に糸掛け性ならびにテール採取率を調査した。表３の結果より最短距離Ｌが大なる程、糸掛け性は良好であるが上述したように端糸の悪影響を受けてテール採取率は低い。一方で距離Ｌが小なる程、糸掛け性が悪くなり、その結果テール採取率も低かった。この原因としては、距離Ｌが小なる程、紙管の糸条捕捉溝と糸掛けガイドの微小な位置ズレ（芯ズレ）の影響が大きく糸掛け性に反映されてしまったからである。
【００２５】
【表１】
2004238107.tif 000003
【００２６】
【表２】
2004238107.tif 000004
【００２７】
【表３】
2004238107.tif 000005
【００２８】
【発明の効果】
以上のことから本発明によると、複数のボビンに糸掛けを実施する際に安定して糸掛けガイド部にて切断し端糸を可能な限り短尺化し、満巻パッケージの製品収率を向上させることが可能である。
【図面の簡単な説明】
【図１】本発明に係る多糸条巻取機正面での一実施形態を示す糸掛け方法の概略図である。
【図２】本発明に係る多糸条巻取機側面での一実施形態を示す糸掛け方法の概略図である。
【図３】本発明に係る実施例を示す概略図である。
【図４】従来の多糸条巻取機正面での一実施形態を示す糸掛け方法の概略図である。
【図５】従来の多糸条巻取機正面での一実施形態を示す糸掛け方法の概略図である。
【符号の説明】
１：巻取機本体
２：ヘッダー部
３：トラバース装置
４：ボビン
４’：糸条捕捉溝
５：スピンドル
６：糸掛けガイド
７：吸引装置
８：旋回デバイス
９：ストッパーピン
１０：案内ガイド
１１：コンタクトローラ
Ｙ：糸条
【図１】
2004238107.tif 000006
【図２】
2004238107.tif 000007
【図３】
2004238107.tif 000008
【図４】
2004238107.tif 000009
【図５】
2004238107.tif 000010